(57)【要約】陰極線管（１）に使用されるためのテンションマスクフレーム組立体（１０）が提供されている。テンションマスクフレーム組立体は、第一熱膨張係数を有する実質的に長方形のマスク支持フレーム（２０）を有している。フレームは、一組の対向する短辺（２６、２８）と結合された一組の対向する長辺（２２、２４）から形成され、これら組のうちの一つは、結合領域を有している。第二熱膨張係数を有しているテンションマスクは、対向する辺沿いの結合領域にて、フレームに支持されている。結合領域は、テンションマスク（３０）と一致させるべく、第二熱膨張係数とほぼ同じ熱膨張係数を有する材料から形成されている。
2006517714.tif 000002
【特許請求の範囲】
【請求項１】
テンションマスクフレーム組立体を有する陰極線管であって：
実質的に長方形であり、第一熱膨張係数を有し、一組の対向する短辺に結合された一組の対向する長辺を含み、前記一組の対向する長辺及び短辺の一つが結合領域を有しているマスク支持フレーム；
第二熱膨張係数を有し、前記対向する辺に沿って前記結合領域にて前記フレームに支持されているテンションマスク；及び
前記第二熱膨張係数と略同じ熱膨張係数を有する材料から形成されている前記結合領域；
から構成される組立体。
【請求項２】
請求項１記載の陰極線管であって、前記結合領域のそれぞれが、前記辺のそれぞれの末端領域の間に配された構造部材を構成する、ところの陰極線管。
【請求項３】
請求項２記載の陰極線管であって、前記構造部材は、前記末端領域に溶接されている、ところの陰極線管。
【請求項４】
請求項２記載の陰極線管であって、さらに、一組の支持ブレイド部材を有し、それぞれが、前記テンションマスクを支持するために各結合領域に結合されている、ところの陰極線管。
【請求項５】
請求項４記載の陰極線管であって、前記支持ブレイド部材それぞれが、前記第二膨張係数を有する材料から形成されている、ところの陰極線管。
【請求項６】
画面及び電子銃と画面の間に配されたマスクに対して電子ビームを指向するための前記電子銃を有する陰極線管であって、
長方形のマスク支持フレームを形成する一組の対向する長辺と一組の対向する短辺とを有する前記マスクを支持するためのフレーム組立体
から構成され、
前記一組の対向する長辺及び短辺の一つは、一致領域の側面に配されている末端領域によって形成され、
前記末端領域は、第一熱膨張係数を有し、
前記一致領域は、前記マスクの熱膨張係数と実質的に同様である第二熱膨張係数を有している、
ところの陰極線管。
【請求項７】
請求項６記載の陰極線管であって、前記一致領域は、溶接部にて、前記末端領域に結合されている、ところの陰極線管。
【請求項８】
請求項７記載の陰極線管であって、さらに、前記マスクを支持するために前記一致領域に結合されている一組の支持ブレイド部材を有している、ところの陰極線管。
【請求項９】
請求項８記載の陰極線管であって、前記支持ブレイド部材は、前記第二熱膨張係数と実質的に同様である熱膨張係数を有する材料から形成されている、ところの陰極線管。
【発明の詳細な説明】
【発明の詳細な説明】
【０００１】［発明の技術分野］
本発明は、一般に、陰極線管（ＣＲＴ）に関し、より詳細には、向上した熱膨張及び歪み特性を有したＣＲＴ用テンションマスクフレーム組立体に関するものである。
［発明の背景］
カラー陰極線管又は（ＣＲＴ）は、陰極線管の画面に３本の電子ビームを形成し、指向するための電子銃を有している。かかる画面は、陰極線管のフェイスプレートパネルの内部側面に位置し、３つの異色を発する蛍光体の素子の配列からなる。シャドウマスクは、成形されたマスク又は素線を有するテンションマスクであってもよく、電子銃と画面との間に位置する。電子銃から発せられた電子ビームは、シャドウマスクの孔を通過し、画面に衝突し、これによって、フェイスプレートパネルの表示面に画像が表示されるように蛍光体が発光する。
【０００２】  一種のＣＲＴには、外部励振の下において大きな振幅をもって振動する傾向を抑えるべく、マスク支持フレームに対して一組の素線が引っ張られているテンションマスクが設けられている。あるテンションマスク支持フレームが開発されており、これには、マスク支持フレームに溶接又は取り付けられた一組の支持ブレイド部材が含まれている。このテンションマスクは、これら支持ブレイド部材の間において支持されている。高い陰極線管処理温度において、テンションマスクに理想的な張力を維持させるために、支持ブレイド部材を形成する材料とテンションマスクを形成する材料との熱膨張係数（ＣＴＥ）を一致させることが望ましい。これら部材の熱膨張係数の不一致は、陰極線管の処理における熱サイクルの際に、テンションマスク表面で望ましくない異常を発生させることが知られている。支持ブレイド部材とテンションマスクとをインバールなどの共通の比較的熱膨張係数の低い材料をもって形成されてもよいが、これらの材料は比較的高価なものである。よって、マスク支持フレームを鋼などの比較的安価で高熱膨張係数を有する材料で形成することが望ましい。しかしながら、低熱膨張係数の支持ブレイド部材が高マスク支持フレームと結合された場合に、熱膨張の不一致という問題が発生する。この熱膨張の不一致は、陰極線管の高温の動作温度の下で支持ブレイド部材をＺ軸方向への撓むこと或いは歪むことを生じさせる。
【０００３】  よって、通常のＣＲＴ動作において発生する熱サイクル時におけるマスク支持ブレイド部材のＺ軸方向への過度な歪みを防止しつつ、比較的安価な低膨張係数の材料を使用したマスクフレーム組立体を開発することが望まれる。
［発明の概要］
陰極線管に使用されるためのテンションマスクフレーム組立体が提供されている。テンションマスクフレーム組立体は、第一熱膨張係数を有する実質的に長方形のマスク支持フレームを有している。フレームは、一組の対向する短辺と結合された一組の対向する長辺から形成され、これら組のうちの一つは、結合領域を有している。第二熱膨張係数を有しているテンションマスクは、対向する辺沿いの結合領域にて、フレームに支持されている。結合領域は、テンションマスクと一致させるべく、第二熱膨張係数とほぼ同じ熱膨張係数を有する材料から形成されている。
［発明の詳細な説明］
以下、添付の図面を参照して、本発明を例示的に説明する。
【０００４】  図１は、ガラスエンベロープ２を有する陰極線管（ＣＲＴ）であって、ファンネル５をもって結合された長方形のフェイスプレートパネル３と管状ネック４とを有するものを示している。ファンネル５は、アノードボタン６からフェイスプレートパネル３及びネック４へと延材する内部電導性被膜材（図示せず）を有している。フェイスプレートパネル３は、表示フェイスプレート８及び外周縁部又は側壁９を有し、ガラスフリット７によってファンネル５に封止されている。三色蛍光体画面１２が、フェイスプレートパネル３の内側表面に搭載されている。画面１２は、三つ組として配された蛍光体ラインを有するラインスクリーンであり、三つ組のそれぞれは、三色の各色の蛍光体ラインを含んでいる。テンションマスクフレーム組立体１０は、画面１２に対して所定の間隔をもって着脱可能に取り付けられている。図１において点線で概略的に示されている電子銃１３は、ネック４の中央内部に取り付けられており、中央ビームと二つの横側、即ち、外側ビームとからなる三本のインライン電子ビームを生成し、テンションマスクフレーム組立体１０から画面１２への収束路に沿って指向する。
【０００５】  ＣＲＴ１は、ファンネル／ネック接合部付近に配された外部磁性偏向ヨーク１４と使用するために設計されている。起動された際には、ヨーク１４は、三つのビームを磁界にさらし、これによって、ビームは長方形ラスター状に水平方向及び垂直方向に画面１２を走査する。
【０００６】  図２及び図３に示されているテンションマスクフレーム組立体１０は、二つの長辺２２、２４と二つの短辺２６、２８とを有している。テンションマスク組立体１０の二つの長辺２２、２４は、陰極線管の中央の主軸Ｘに対して平行であり、二つの短辺２６、２８は、陰極線管の中央の従軸Ｙに対して平行である。二つの長辺２２、２４と二つの短辺２６、２８とは、主軸及び従軸に沿って連続する平面のマスク支持フレーム２０を形成する。
【０００７】  フレーム組立体１０は、陰極線管の従軸Ｙと平行する多数の長円スリット（図示せず）を設けた複数の金属製の板片（図示せず）を含む、開口されたテンション・シャドウマスク３０（図では一枚のシートとして簡略的に示されている）を有している。マスク３０は、取り付け箇所３３（図２及び図４にて、最も良く示されている）でフレーム２０に係合された一組の支持ブレイド部材４０に固定されている。テンション・シャドウマスクに対して最適な曲げとテンションコンプライアンスを確保するために、各支持ブレイド部材４０の中央からその支持ブレイド部材４０の端部へ縦方向に渡る高さは、変動してもよい。
【０００８】  テンションマスクフレーム組立体１０の二つの長辺２２、２４は、それぞれ末端領域２３、２５の間に溶接された構造部材たる一致領域３２、３４を含んでいる。これら一致領域３２、３４を形成するために使用される材料は、支持ブレイド部材４０の熱膨張係数に一致するものであり、好ましくは、熱膨張係数の低い材料である。末端領域２３、２５は、溶接又はそれ以外の適切な結合手段によって、一致領域３２、３４に結合される。図３は、断面図であり、末端領域２５と一致部分３４との間の溶接を示すためにその一部が切り取られたものである。各一致領域３２，３４は、長辺２２、２４の略中央に、支持ブレイド部材４０が機械的な留め具又は溶接によって結合される結合領域に位置する。図４において、この結合の例が示されており、ここでは、支持ブレイド部材４０が溶接部３５によって一致領域３４の一部に溶接されている。
【０００９】  組立において、まず、短辺２６，２８を長辺２２、２４の末端部分２３、２５に結合することにより、テンションマスクフレーム組立体１０が形成される。次に、一致領域３２，３４それぞれが、溶接部３７（図３）にて末端部分２３、２５に溶接され、フレーム２０が完成される。次に、図４に最も良く示されているように、一組の支持ブレイド部材４０が、溶接部３５にて一致領域３２、３４に溶接される。最後に、テンションマスク３０が支持ブレイド部材４０に付加されて、テンションマスクフレーム組立体１０が完成される。
【００１０】  尚、熱膨張係数一致領域３２、３４の材料は、支持ブレイド部材４０が形成される材料と同一又は類似の熱膨張係数を有しているもの理解されるべきである。この熱膨張係数の一致は、通常のＣＲＴ動作において起きる加熱時のＺ軸方向への支持ブレイド部材４０の撓み又は歪みを防止する上で有利である。
【００１１】  前記は、本発明を実施するための例の一部を示すものである。発明の技術的範囲及び精神の範囲内において他の実施例も多数存在する。よって、前記説明は、限定的ではなく、例示的なものとして意図され、本発明の技術的範囲及びそれと均等なる最大範囲は添付の特許請求の範囲によって示されている。
【図面の簡単な説明】
【００１２】
【図１】図１は、ＣＲＴの断面図であり、テンションマスク組立体を示すものである。
【図２】図２は、テンションマスクフレーム組立体の斜視図である。
【図３】図３は、図２の線３−３に沿った断面図である。
【図４】図４は、図２の線４−４に沿った断面図である。
【図１】
2006517714.tif 000003
【図２】
2006517714.tif 000004
【図３】
2006517714.tif 000005
【図４】
2006517714.tif 000006
【国際調査報告】
2006517714.tif 000007
2006517714.tif 000008
2006517714.tif 000009